(57)【要約】【課題】情報収集者が、必要な情報を容易に取得できる情報収集方法、情報収集システム、情報処理装置、及びコンピュータプログラムを提供する。【解決手段】中央装置１は、一の情報収集者によって入力された情報収集のための検索キーに基づいて中央装置１が検索したり中央装置１の管理者が入力したりしたウェブページデータの位置情報と、各情報収集者によって入力された検索キーの集計結果に基づいて１又は複数の情報提供者が入力した位置情報とを、前記一の情報収集者の端末装置２へ送信する。前記一の情報収集者は、端末装置２が受信した位置情報を用いてウェブサーバ３のウェブページを閲覧する。【選択図】        図２
2004240682.tif 000002
【特許請求の範囲】
【請求項１】
記憶手段を有する中央装置と、該中央装置と通信する１又は複数の端末装置とを用い、
一の端末装置が、情報収集者を識別する識別情報、及び情報収集のための検索キーを前記中央装置へ送信し、該中央装置は、受信した検索キーに対応するウェブページデータの位置情報を前記端末装置へ送信し、該端末装置は、受信した位置情報を用いて該位置情報に対応するウェブページデータを受信する情報収集方法であって、
前記中央装置は、受信した識別情報及び検索キーを関連付けて記憶手段に記憶し、
前記記憶手段に記憶された検索キーに対応するウェブページデータの位置情報を紹介位置情報として、前記記憶手段に記憶された識別情報に関連付けて記憶手段に記憶し、
前記記憶手段に記憶された紹介位置情報を、前記端末装置へ送信し、
前記中央装置は、前記記憶手段に記憶された検索キーの個数を集計して、該検索キーを含む集計結果を前記端末装置及び／又は他の端末装置へ送信し、
前記端末装置又は前記他の端末装置は、受信した集計結果に含まれる検索キーに対応させて位置情報を前記中央装置へ送信し、
前記中央装置は、受信した位置情報を紹介位置情報として、前記検索キーに関連付けて前記記憶手段に記憶されている識別情報に関連付けて記憶手段に記憶することを特徴とする情報収集方法。
【請求項２】
記憶手段を有する中央装置と、該中央装置と通信する１又は複数の端末装置とを備え、
一の端末装置が、情報収集者を識別する識別情報、及び情報収集のための検索キーを前記中央装置へ送信し、該中央装置は、受信した検索キーに対応するウェブページデータの位置情報を前記端末装置へ送信し、該端末装置は、受信した位置情報を用いて該位置情報に対応するウェブページデータを受信する情報収集システムであって、
前記中央装置は、
受信した識別情報及び検索キーを関連付けて記憶手段に記憶する手段と、
前記記憶手段に記憶された検索キーに対応するウェブページデータの位置情報を紹介位置情報として、前記記憶手段に記憶された識別情報に関連付けて記憶手段に記憶する手段と、
前記記憶手段に記憶された紹介位置情報を、前記端末装置へ送信する手段と、
前記記憶手段に記憶された検索キーの個数を集計して、該検索キーを含む集計結果を前記端末装置及び／又は他の端末装置へ送信する手段と、
前記検索キーに対応した位置情報を受信する手段と、
受信した位置情報を紹介位置情報として、前記検索キーに関連付けて前記記憶手段に記憶されている識別情報に関連付けて記憶手段に記憶する手段とを備え、
前記端末装置は、
紹介位置情報を受信する手段と、
検索キーを含む集計結果を受信する手段と、
受信した集計結果に含まれる検索キーに対応させて位置情報を前記中央装置へ送信する手段とを備えることを特徴とする情報収集システム。
【請求項３】
前記端末装置は、受信した紹介位置情報に決定することを示す決定情報、及び前記情報収集者を識別する識別情報を前記中央装置へ送信する手段を備え、
前記中央装置は、
前記記憶手段に記憶された紹介位置情報に決定することを示す決定情報、及び識別情報を受信する手段と、
受信した決定情報に対応する紹介位置情報を決定位置情報として、受信した識別情報に関連付けて記憶手段に記憶する手段と、
前記記憶手段に記憶された決定位置情報を、前記端末装置へ送信する手段とを備えることを特徴とする請求項２に記載の情報収集システム。
【請求項４】
前記中央装置は、前記記憶手段に記憶された紹介位置情報を、前記端末装置以外の他の端末装置へ送信する手段を更に備えることを特徴とする請求項２又は３に記載の情報収集システム。
【請求項５】
前記端末装置又は前記他の端末装置は、受信した紹介位置情報に対応させて位置情報を前記中央装置へ送信する手段を備え、
前記中央装置は、受信した位置情報を紹介位置情報として、前記位置情報に対応している紹介位置情報に関連付けて前記記憶手段に記憶されている識別情報に関連付けて記憶手段に記憶する手段を備えることを特徴とする請求項４に記載の情報収集システム。
【請求項６】
記憶手段を備え、
情報収集者を識別する識別情報、及び情報収集のための検索キーを受信し、受信した検索キーに対応するウェブページデータの位置情報を外部へ送信する情報処理装置であって、
受信した識別情報及び検索キーを関連付けて記憶手段に記憶する手段と、
前記記憶手段に記憶された検索キーに対応するウェブページデータの位置情報を紹介位置情報として、前記記憶手段に記憶された識別情報に関連付けて記憶手段に記憶する手段と、
前記記憶手段に記憶された紹介位置情報を外部へ送信する手段と、
前記記憶手段に記憶された検索キーの個数を集計して、該検索キーを含む集計結果を外部へ送信する手段と、
前記検索キーに対応した位置情報を受信する手段と、
受信した位置情報を紹介位置情報として、前記検索キーに関連付けて前記記憶手段に記憶されている識別情報に関連付けて記憶手段に記憶する手段とを備えることを特徴とする情報処理装置。
【請求項７】
記憶手段を備えるコンピュータに、情報収集者を識別する識別情報、及び情報収集のための検索キーを受信させ、受信された検索キーに対応するウェブページデータの位置情報を外部へ送信させるためのコンピュータプログラムであって、
コンピュータに、受信された識別情報及び検索キーを関連付けて記憶手段に記憶させるステップと、
コンピュータに、前記記憶手段に記憶された検索キーに対応するウェブページデータの位置情報を紹介位置情報として、前記記憶手段に記憶された識別情報に関連付けて記憶手段に記憶させるステップと、
コンピュータに、前記記憶手段に記憶された紹介位置情報を外部へ送信させるステップと、
コンピュータに、前記記憶手段に記憶された検索キーの個数を集計して、該検索キーを含む集計結果を外部へ送信させるステップと、
コンピュータに、前記検索キーに対応した位置情報を受信させるステップと、
コンピュータに、受信された位置情報を紹介位置情報として、前記検索キーに関連付けて前記記憶手段に記憶されている識別情報に関連付けて記憶手段に記憶させるステップとを実行させることを特徴とするコンピュータプログラム。
【発明の詳細な説明】
【０００１】
【発明の属する技術分野】
本発明は、中央装置及び該中央装置と通信する端末装置を用いて情報を収集する情報収集方法、情報収集システム、情報処理装置、並びにコンピュータプログラムに関する。
【０００２】
【従来の技術】
従来の情報収集方法において、情報収集者は、例えばブラウザがインストールされているパーソナルコンピュータ（以下、パソコンという）を用い、インターネット上の情報検索ツールである検索エンジンに、必要な情報を収集する手掛かりとなる文字、画像、又は音声等の検索キーを入力し、該検索キーに対応するウェブページを検索することによって、必要な情報（該情報を有するウェブページ）を収集する（例えば、非特許文献１参照）。
また、ユーザは、ブラウザのブックマーク、ポータルサイト、又はリンク集等によって、必要な情報を有するウェブページを簡易な操作でパソコンに表示させる（例えば、非特許文献２参照）。
【０００３】
【非特許文献１】
“Ｙａｈｏｏ！”、［ｏｎｌｉｎｅ］、［平成１５年１月２８日検索］、インターネット＜ＵＲＬ：ｈｔｔｐ：／／ｗｗｗ．ｙａｈｏｏ．ｃｏ．ｊｐ＞
【非特許文献２】
“Ｍｙ  Ｙａｈｏｏ！”、［ｏｎｌｉｎｅ］、［平成１５年１月２８日検索］、インターネット＜ＵＲＬ：ｈｔｔｐ：／／ｍｙ．ｙａｈｏｏ．ｃｏ．ｊｐ＞
【０００４】
【発明が解決しようとする課題】
しかしながら、検索エンジンで検索する場合、検索結果として、必要な情報を有するか否か不明である多数のウェブページがヒットしたり、必要な情報とは無関係のウェブページがヒットしたり、全くヒットしなかったりして、情報収集者が必要なウェブページを取得するのが困難であるという問題があった。
また、ポータルサイトは、カスタマイズ可能なコンテンツ（リンク先として登録可能なウェブページ）が限定されている場合があるという問題があった。
また、ブックマーク又はリンク集等は、情報収集者が、自分で検索エンジン又は情報誌等を用いて探し出したウェブページが必要な情報を有するか否か判断し、必要な情報を有する場合に、例えば、前記ウェブページのＵＲＬをブックマークに登録する作業が必要であるという問題があった。
【０００５】
更に、情報提供者が、該情報提供者が有する情報をウェブページとして発信する場合、バナー広告を用いて前記ウェブページの存在を不特定多数に報知することによってコストが掛かったり、不特定多数に報知するため前記情報を必要としている適切な相手が見てくれなかったり、適切な相手が閲覧している可能性が高いウェブページ（例えば掲示板）を探してリンクを張る手間が掛かったりするという問題があった。また、クッキー（ｃｏｏｋｉｅ）を利用して適切な相手にバナー広告を出す場合、相手に、その相手の個人情報が漏れているような悪い印象を与えることもあるという問題があった。
以上のようなことから、情報収集者及び情報提供者の双方に利便性の高い情報収集システムが求められている。
【０００６】
本発明は斯かる事情に鑑みてなされたものであり、中央装置が、端末装置から受信した検索キーに基づく紹介位置情報と、検索キーの個数の集計結果に基づく紹介位置情報とを、前記端末装置へ送信することにより、情報収集者が必要な情報を容易に取得でき、情報提供者が適切な情報収集者に情報を提供できる情報収集方法、情報収集システム、該情報収集システムを構成する中央装置として用いられる情報処理装置、及びコンピュータを前記情報処理装置として用いるためのコンピュータプログラムを提供することを目的とする。
【０００７】
【課題を解決するための手段】
第１発明に係る情報収集方法は、記憶手段を有する中央装置と、該中央装置と通信する１又は複数の端末装置とを用い、一の端末装置が、情報収集者を識別する識別情報、及び情報収集のための検索キーを前記中央装置へ送信し、該中央装置は、受信した検索キーに対応するウェブページデータの位置情報を前記端末装置へ送信し、該端末装置は、受信した位置情報を用いて該位置情報に対応するウェブページデータを受信する情報収集方法であって、前記中央装置は、受信した識別情報及び検索キーを関連付けて記憶手段に記憶し、前記記憶手段に記憶された検索キーに対応するウェブページデータの位置情報を紹介位置情報として、前記記憶手段に記憶された識別情報に関連付けて記憶手段に記憶し、前記記憶手段に記憶された紹介位置情報を、前記端末装置へ送信し、前記中央装置は、前記記憶手段に記憶された検索キーの個数を集計して、該検索キーを含む集計結果を前記端末装置及び／又は他の端末装置へ送信し、前記端末装置又は前記他の端末装置は、受信した集計結果に含まれる検索キーに対応させて位置情報を前記中央装置へ送信し、前記中央装置は、受信した位置情報を紹介位置情報として、前記検索キーに関連付けて前記記憶手段に記憶されている識別情報に関連付けて記憶手段に記憶することを特徴とする。
【０００８】
第２発明に係る情報収集システムは、記憶手段を有する中央装置と、該中央装置と通信する１又は複数の端末装置とを備え、一の端末装置が、情報収集者を識別する識別情報、及び情報収集のための検索キーを前記中央装置へ送信し、該中央装置は、受信した検索キーに対応するウェブページデータの位置情報を前記端末装置へ送信し、該端末装置は、受信した位置情報を用いて該位置情報に対応するウェブページデータを受信する情報収集システムであって、前記中央装置は、受信した識別情報及び検索キーを関連付けて記憶手段に記憶する手段と、前記記憶手段に記憶された検索キーに対応するウェブページデータの位置情報を紹介位置情報として、前記記憶手段に記憶された識別情報に関連付けて記憶手段に記憶する手段と、前記記憶手段に記憶された紹介位置情報を、前記端末装置へ送信する手段と、前記記憶手段に記憶された検索キーの個数を集計して、該検索キーを含む集計結果を前記端末装置及び／又は他の端末装置へ送信する手段と、前記検索キーに対応した位置情報を受信する手段と、受信した位置情報を紹介位置情報として、前記検索キーに関連付けて前記記憶手段に記憶されている識別情報に関連付けて記憶手段に記憶する手段とを備え、前記端末装置は、紹介位置情報を受信する手段と、検索キーを含む集計結果を受信する手段と、受信した集計結果に含まれる検索キーに対応させて位置情報を前記中央装置へ送信する手段とを備えることを特徴とする。
【０００９】
第３発明に係る情報収集システムは、前記端末装置は、受信した紹介位置情報に決定することを示す決定情報、及び前記情報収集者を識別する識別情報を前記中央装置へ送信する手段を備え、前記中央装置は、前記記憶手段に記憶された紹介位置情報に決定することを示す決定情報、及び識別情報を受信する手段と、受信した決定情報に対応する紹介位置情報を決定位置情報として、受信した識別情報に関連付けて記憶手段に記憶する手段と、前記記憶手段に記憶された決定位置情報を、前記端末装置へ送信する手段とを備えることを特徴とする。
【００１０】
第４発明に係る情報収集システムは、前記中央装置は、前記記憶手段に記憶された紹介位置情報を、前記端末装置以外の他の端末装置へ送信する手段を更に備えることを特徴とする。
【００１１】
第５発明に係る情報収集システムは、前記端末装置又は前記他の端末装置は、受信した紹介位置情報に対応させて位置情報を前記中央装置へ送信する手段を備え、前記中央装置は、受信した位置情報を紹介位置情報として、前記位置情報に対応している紹介位置情報に関連付けて前記記憶手段に記憶されている識別情報に関連付けて記憶手段に記憶する手段を備えることを特徴とする。
【００１２】
第６発明に係る情報処理装置は、記憶手段を備え、情報収集者を識別する識別情報、及び情報収集のための検索キーを受信し、受信した検索キーに対応するウェブページデータの位置情報を外部へ送信する情報処理装置であって、受信した識別情報及び検索キーを関連付けて記憶手段に記憶する手段と、前記記憶手段に記憶された検索キーに対応するウェブページデータの位置情報を紹介位置情報として、前記記憶手段に記憶された識別情報に関連付けて記憶手段に記憶する手段と、前記記憶手段に記憶された紹介位置情報を外部へ送信する手段と、前記記憶手段に記憶された検索キーの個数を集計して、該検索キーを含む集計結果を外部へ送信する手段と、前記検索キーに対応した位置情報を受信する手段と、受信した位置情報を紹介位置情報として、前記検索キーに関連付けて前記記憶手段に記憶されている識別情報に関連付けて記憶手段に記憶する手段とを備えることを特徴とする。
【００１３】
第７明に係るコンピュータプログラムは、記憶手段を備えるコンピュータに、情報収集者を識別する識別情報、及び情報収集のための検索キーを受信させ、受信された検索キーに対応するウェブページデータの位置情報を外部へ送信させるためのコンピュータプログラムであって、コンピュータに、受信された識別情報及び検索キーを関連付けて記憶手段に記憶させるステップと、コンピュータに、前記記憶手段に記憶された検索キーに対応するウェブページデータの位置情報を紹介位置情報として、前記記憶手段に記憶された識別情報に関連付けて記憶手段に記憶させるステップと、コンピュータに、前記記憶手段に記憶された紹介位置情報を外部へ送信させるステップと、コンピュータに、前記記憶手段に記憶された検索キーの個数を集計して、該検索キーを含む集計結果を外部へ送信させるステップと、コンピュータに、前記検索キーに対応した位置情報を受信させるステップと、コンピュータに、受信された位置情報を紹介位置情報として、前記検索キーに関連付けて前記記憶手段に記憶されている識別情報に関連付けて記憶手段に記憶させるステップとを実行させることを特徴とする。
【００１４】
第１発明、第２発明、及び第６発明にあっては、例えば、端末装置のユーザである情報収集者が、該情報収集者を識別する識別情報、及び情報収集のための１又は複数の検索キーを端末装置へ入力する。該端末装置は、入力された識別情報及び検索キーを、情報処理装置を用いてなる中央装置へ送信する。
中央装置は、まず、受信した識別情報及び検索キーを関連付けて記憶手段に記憶する。次いで、中央装置は、識別情報及び検索キーを受信した時点で、又は、紹介位置情報を追加／更新するよう命令された場合、あるいは定期的に、記憶手段に記憶された検索キーに対応するウェブページデータの位置情報を紹介位置情報として、記憶手段に記憶された識別情報に関連付けて、記憶手段に記憶する。この場合、紹介位置情報は、１個でも複数個でも良い。
【００１５】
また、中央装置は、記憶手段に記憶された検索キーの個数を集計する。例えば、一の情報収集者が「野菜」「果物」という検索キーを入力し、他の情報収集者が「野菜」「八百屋」という検索キーを入力したとき、集計結果は、「野菜」が２個、「果物」及び「八百屋」夫々１個となる。
次いで、中央装置は、検索キーを含む集計結果を、各端末装置へ送信する。
端末装置は、受信した集計結果に含まれる検索キーに対応させて位置情報を中央装置へ送信する。この場合、位置情報は、１個でも複数個でも良い。
中央装置は、受信した位置情報を紹介位置情報として、前記検索キーに関連付けて記憶手段に記憶されている識別情報に関連付けて、記憶手段に記憶する。
以上のようにして、中央装置は、一の識別情報に関連付けられている検索キーに対応するウェブページデータの紹介位置情報、即ち、検索キーに対応する情報（該情報を有するウェブページ）を収集する。
【００１６】
また、中央装置は、一の識別情報に関連付けられている紹介位置情報を、前記識別情報を送信してきた端末装置へ送信する。
端末装置は、紹介位置情報を受信する。この場合、端末装置のユーザである情報収集者は、検索キーに対応する情報を有するウェブページデータの位置情報を取得することになり、取得した位置情報をブックマークに登録したり、受信した位置情報を用いて該位置情報に対応するウェブページデータを端末装置に受信させ、取得した位置情報に対応するウェブページを閲覧したりする。
【００１７】
以上のような紹介位置情報は、中央装置が、端末装置から受信した検索キーに基づいて、従来の検索エンジンを用いて取得した位置情報であっても良く、予め中央装置に検索キー及び位置情報を関連付けて記憶させてあった位置情報であっても良い。また、前記紹介位置情報は、端末装置が、中央装置から受信した集計結果に含まれる検索キーに基づいて、従来の検索エンジンを用いて取得した位置情報を中央装置へ送信したものであっても良く、端末装置のユーザである情報提供者が、集計結果を視認し、検索キーに相応しい情報を有するウェブページデータの位置情報を端末装置へ入力し、端末装置が、入力された位置情報を中央装置へ送信したものであっても良い。
【００１８】
第３発明にあっては、中央装置が、一の識別情報に関連付けられている紹介位置情報を、前記識別情報を送信してきた端末装置へ送信する。
端末装置は、紹介位置情報を受信し、受信した紹介位置情報に決定することを示す決定情報、及び前記情報収集者を識別する識別情報を中央装置へ送信する。
中央装置は、受信した決定情報に対応する紹介位置情報を決定位置情報として、受信した識別情報に関連付けて記憶手段に記憶し、該記憶手段に記憶された決定位置情報を、前記端末装置へ送信する。
端末装置は、決定位置情報を受信する。この場合、端末装置のユーザである情報収集者は、該情報収集者が必要な情報を有するウェブページデータの位置情報のみを取得することになる。このため、情報収集者は、情報収集者自身が必要な情報を有するウェブページデータを探し出してブックマークに登録したりリンク集を作成したりする作業を行なう必要がない。
【００１９】
第４発明にあっては、中央装置が、一の識別情報に関連付けられている紹介位置情報を、前記識別情報を送信してきた端末装置のみならず、他の端末装置へも送信する。この場合、他の端末装置のユーザ（例えば情報提供者）は、端末装置が受信した紹介位置情報を用いて該紹介位置情報に対応するウェブページデータを前記端末装置に受信させることによって、取得した紹介位置情報に対応するウェブページを閲覧し、前記識別情報を有する情報収集者が必要としている情報を把握する。このとき、情報提供者は、前記情報収集者に対し、適切な情報を提供する。
【００２０】
第５発明にあっては、例えば情報提供者が、前記識別情報を有する情報収集者が必要としている可能性が高い情報を有するウェブページデータの位置情報を端末装置へ入力し、端末装置は、受信した紹介位置情報に対応させて、情報提供者が入力した位置情報を中央装置へ送信する。
中央装置は、受信した位置情報を紹介位置情報として、前記位置情報に対応している紹介位置情報に関連付けて前記記憶手段に記憶されている識別情報、即ち前記一の識別情報に関連付けて記憶手段に記憶する。更に、中央装置は、前記識別情報に関連付けられている紹介位置情報を、前記識別情報を送信してきた端末装置（即ち前記情報収集者が使用している端末装置）へ送信する。このため、情報収集者が取得する紹介位置情報は、該情報収集者が必要な情報を有するウェブページデータの位置情報である可能性が高くなる。
【００２１】
第７発明にあっては、コンピュータプログラムが、可搬性を有する記録媒体に記憶されて配布されたり、通信回線を介して配信されたり、コンピュータを用いてなる情報処理装置が備える記憶手段（例えばＲＯＭ）に予め格納してあったりする。コンピュータプログラムは、記憶手段（ＲＡＭ又はハードディスク等）にインストールされてから実行されても良く、記録媒体又は配信元から読み取られて直接的に実行されても良い。
このようなコンピュータプログラムは、受信した識別情報及び検索キーを関連付けて記憶手段に記憶する手段、並びに、前記記憶手段に記憶された検索キーに対応するウェブページデータの位置情報を紹介位置情報として、前記記憶手段に記憶された識別情報に関連付けて記憶手段に記憶する手段等を、情報処理装置のハードウェア要素を用いてソフトウェア的に実現し、該情報処理装置を、前記情報収集システムを構成する中央装置として機能させる。
【００２２】
【発明の実施の形態】
以下、本発明をその実施の形態を示す図面に基づいて詳述する。
本実施の形態においては、情報処理装置としてサーバコンピュータを例示し、端末装置としてパソコンを例示し、情報処理装置を中央装置として用い、該中央装置と端末装置とがインターネットを介して通信を行なう場合を例示するが、これらに限定されるものではない。
また、本実施の形態においては、情報収集者は、情報収集システムの個人ユーザ（個人として契約した者）であり、情報提供者は、前記個人ユーザ及び／又は情報収集システムの企業ユーザ（会社として契約した者）であるが、これらに限定されるものではない。
【００２３】
図１は、本発明に係る情報収集システムの構成を示す説明図であり、該情報収集システムを構成している端末装置２のブロック図を含んでいる。
インターネットＮには、中央装置１と端末装置２，２，…と、ウェブページを提供するウェブサーバ３，３，…とが接続されており、各端末装置２と中央装置１又はウェブサーバ３とはインターネットＮを介して各種データの送受信を行なう。各端末装置２には、ウェブページを閲覧するためのブラウザがインストールされている。また、各ウェブサーバ３は、ウェブページをブラウザ上で表示するためのウェブページデータを、夫々固有の位置情報に関連付けて保有している。
【００２４】
図中２０は、端末装置２の制御中枢であるＣＰＵであり、ＣＰＵ２０は、ＣＲＴ又は液晶ディスプレイ等を用いてなる表示部２４、及び、キーボード及びマウス等を用いてなる操作部２５等の装置各部に、バスを介して接続されている。ＣＰＵ２０は、ハードディスクを用いてなる補助記憶部２６又はＲＯＭ２１に記憶されたコンピュータプログラム（例えばブラウザ）に従って、装置各部を制御し、このとき発生するデータをＲＡＭ２２に一時記憶して、各種処理を実行する。
個人ユーザ又は企業ユーザは、表示部２４を視認しつつ、表示部２４に表示されるマウスポインタ４（図７参照）又はカーソル等を操作して、ウェブページ上で文字情報を記入したりクリック操作を行なったりするために操作部２５を用いる。
【００２５】
外部記憶部２３は、例えばＣＤ−ＲＯＭドライブであり、ＣＰＵ２０に制御されて、ＣＤ−ＲＯＭのような可搬性を有する記録媒体から情報を読み込んで、補助記憶部２６に記憶させる。
ネットワークＩ／Ｆ２７は、端末装置２とインターネットＮとを、例えば通信ケーブルを介して接続するインターフェイスであり、ＣＰＵ２０は、ネットワークＩ／Ｆ２７を介して情報を送受信する。
【００２６】
図２は、本発明に係る情報収集システムを構成する中央装置１のブロック図である。中央装置１は、記憶手段として補助記憶部１４を備える。
図中１０は、中央装置１の制御中枢であるＣＰＵであり、ＣＰＵ１０は、ＲＯＭ１１及びＲＡＭ１２等の装置各部に、バスを介して接続されている。ＣＰＵ１０は、ハードディスクを用いてなる補助記憶部１４又はＲＯＭ１１に記憶されたコンピュータプログラムに従って、装置各部を制御し、このとき発生するデータをＲＡＭ１２に一時記憶して、各種処理を実行する。
ネットワークＩ／Ｆ１３は、中央装置１とインターネットＮとを、例えば通信ケーブルを介して接続するインターフェイスであり、ＣＰＵ１０は、ネットワークＩ／Ｆ１３を介して情報を送受信する。
【００２７】
補助記憶部１４には、本実施の形態のコンピュータプログラム、及び該コンピュータプログラムを実行する際に用いるデータ等が記憶されている。また、補助記憶部１４には、図７〜図１２に示すようなウェブページのウェブページデータの元となる元データが、該元データの位置情報に関連付けて記憶されている。また、補助記憶部１４は、情報収集者データベース１５（図３参照）、情報提供者データベース１６（図４参照）、検索キーデータベース１７（図５参照）、位置情報データベース１８（図６参照）及びバナーデータベース１９を格納している。ＣＰＵ１０は、位置情報を用いて一のウェブページデータを要求された場合、前記位置情報に関連付けられている元データと所定のデータベースが記憶している情報とを補助記憶部１４から読み出し、読み出した元データと情報とを用いてウェブページデータを生成し、ウェブページデータを要求した端末装置２へ、生成したウェブページデータを送信する。
【００２８】
なお、本実施の形態においては、本実施の形態のコンピュータプログラムをインストールされているサーバに各データベースが内蔵されている中央装置１を例示しているが、本実施の形態のコンピュータプログラムをインストールされているサーバと、各データベースを内蔵するデータベースサーバとを用いて中央装置１を構成してあっても良い。また、各データベースは、１個の記憶装置（例えば補助記憶部１４）内に設けるのみならず、複数の記憶装置内に夫々設けても良い。
【００２９】
本実施の形態のコンピュータプログラム、該コンピュータプログラムを実行する際に用いるデータ、及び各データベースに予め記憶しておくべきデータ等は、例えばネットワークＩ／Ｆ１３を介して受信し、補助記憶部１４に記憶するよう構成してあっても良い。また、中央装置１が、例えばＣＤ−ＲＯＭドライブを備える場合、前記コンピュータプログラム及び／又は各種データが記録されているＣＤ−ＲＯＭから読み込んで、補助記憶部１４に記憶するよう構成してあっても良い。更に、中央装置１がＣＲＴ又は液晶ディスプレイ等を用いてなる表示部並びにキーボード及びマウス等を用いてなる操作部を備える場合、中央装置１の管理者が、表示部を見ながら操作部を用いて各種データを入力し、入力されたデータを中央装置１が補助記憶部１４に記憶するよう構成してあっても良い。
【００３０】
図３は、中央装置１が備える情報収集者データベース１５に記憶されている情報の一例を示す模式図である。
情報収集者データベース１５には、個人ユーザ名、ユーザＩＤ、パスワード、セッションＩＤ、検索キー、紹介位置情報、及び決定位置情報等が関連付けて記憶されている。
個人ユーザ名は、情報収集者である個人ユーザの名前であり、個人ユーザ名に関連付けて記憶されているユーザＩＤ及びパスワードは、各個人ユーザが情報収集システムにログインする場合に用いる識別情報である。
【００３１】
セッションＩＤは、個人ユーザが端末装置２を用いてログインした場合に中央装置１が発行する識別情報であり、個人ユーザのユーザＩＤに関連付けて記憶され、個人ユーザがログアウトするまで、端末装置２と中央装置１との間でユーザＩＤ及びパスワードの代わりに用いられる。このため、個人ユーザは、各種情報を入力する度にユーザＩＤ及びパスワードを入力する必要がない。セッションＩＤは、ログインしていない個人ユーザに対しては発行されず、空欄となる。
【００３２】
検索キーは、個人登録ページ４１（図７参照）上で個人ユーザが選択し入力した検索キーである選択検索キー、個人ユーザが任意に記入し入力した検索キーである任意検索キー、並びに個人ユーザが入力し、選択検索キー又は任意検索キーと組み合わせて用いる補助的な検索キー（以下、補助検索キーという）である性別、生年月日、及び住所（不図示）等である。
選択検索キーの欄には、検索キー番号が記憶されており、選択検索キーの実体は、検索キー番号に関連付けられて、検索キーデータベース１７（図５参照）に記憶されている。
【００３３】
任意検索キーの欄には、個人ユーザが記入し入力したキーワード又はキーセンテンス等の文字情報が記憶されている。該文字情報は、キーワード又はキーセンテンス毎に記憶（例えば「写真撮影された場所の住所」と入力された場合、「写真撮影された場所の住所」という一個の検索キーとして記憶）してあっても良く、適宜のキーワードに分割して記憶（この場合、「写真撮影された」「場所の」「住所」という３個の検索キーとして記憶）してあっても良い。
なお、本実施の形態では選択検索キーと任意検索キーとを検索キーとして用いるが、選択検索キーのみ又は任意検索キーのみであっても良い。また、検索キーとして、文字情報のみならず、画像情報又は音声情報等を用いても良い。
【００３４】
紹介位置情報は、選択検索キー、任意検索キー、補助検索キー又はこれらを１又は複数組み合わせてなる検索キー群に対応する情報を有するウェブページデータの位置情報である。紹介位置情報の欄には、位置情報番号が記憶されており、紹介位置情報の実体は、位置情報番号に関連付けられて、位置情報データベース１８（図６参照）に記憶されている。
【００３５】
紹介位置情報は、例えば、任意検索キーとして「写真撮影」が記憶されている場合、写真撮影に関する情報を有するウェブページデータの位置情報（検索キーデータベース１７（図５参照）にて、検索キー「写真撮影」に関連付けて記憶されている位置情報）であり、また、選択検索キーとして「洋服を買う」、補助検索キーとして「女性」及び「東京」が夫々記憶されている場合、「東京で、女性が、洋服を買う」ことに関する情報を有するウェブページデータの位置情報（検索キーデータベース１７にて、検索キー「写真撮影」「女性」「東京」の全てに関連付けて記憶されている位置情報）である。
紹介位置情報は、中央装置１によってランダムに選択されたり、最近更新されたウェブページデータの紹介位置情報が優先的に選択されたりして、情報収集ページ４３（図９参照）に含まれて端末装置２へ送信される。
【００３６】
決定位置情報は、個人ユーザが、情報収集ページ４３に表示された紹介位置情報の中から選択して決定及び入力した位置情報であり、個人ページ４４（図１０参照）に含まれて端末装置２へ送信される。決定位置情報の欄には、位置情報番号が記憶されており、決定位置情報の実体は、位置情報番号に関連付けられて、位置情報データベース１８（図６参照）に記憶されている。
【００３７】
図４は、中央装置１が備える情報提供者データベース１６に記憶されている情報の一例を示す模式図である。
情報提供者データベース１６には、企業ユーザ名、ユーザＩＤ、パスワード、セッションＩＤ、及び位置情報等が関連付けて記憶されている。
企業ユーザ名は、情報提供者である企業ユーザの名前であり、企業ユーザ名に関連付けて記憶されているユーザＩＤ及びパスワードは、各企業ユーザが情報収集システムにログインする場合に用いる識別情報である。
【００３８】
セッションＩＤは、企業ユーザが端末装置２を用いてログインした場合に中央装置１が発行する識別情報であり、企業ユーザのユーザＩＤに関連付けて記憶され、企業ユーザがログアウトするまで、端末装置２と中央装置１との間でユーザＩＤ及びパスワードの代わりに用いられる。このため、企業ユーザは、各種情報を入力する場合に、改めてユーザＩＤ及びパスワードを入力する必要がない。セッションＩＤは、ログインしていない企業ユーザに対しては発行されず、空欄となる。
位置情報は、企業ユーザが提供する情報を有するウェブページデータの位置情報であり、該ウェブページデータは、例えば企業ユーザが管理しているウェブサイトのトップページのウェブページデータである。位置情報の欄には、位置情報番号が記憶されており、位置情報の実体は、位置情報番号に関連付けられて、位置情報データベース１８（図６参照）に記憶されている。
【００３９】
図５は、中央装置１が備える検索キーデータベース１７に記憶されている情報の一例を示す模式図である。
検索キーデータベース１７には、カテゴリ、検索キー番号、検索キー、人数、及び位置情報等が関連付けて記憶されている。
カテゴリは、選択検索キーを分類するためのカテゴリである。選択検索キーに対しては、病院、介護、又は薬局等の情報に対応する医療・介護、及び、弁護士又は税理士等の情報に対応する人生相談等のカテゴリがあり、補助検索キーに対しては、性別、住所（例えば都道府県名）、及び生年月日から算出される年代等がある。各カテゴリには、１又は複数の検索キーが関連付けて記憶されている。
【００４０】
検索キー番号は、選択検索キーに対し順に与えられている番号であり、任意検索キー及び補助検索キーには与えられていない。
検索キーの欄には、検索キーの内容が記憶されており、例えば選択検索キーに対応している医療・介護のカテゴリには「訪問介護を頼みたい」及び「老人ホーム空き情報」等、補助検索キーに対応している年代のカテゴリには「１０歳未満」及び「１０代」等、任意キーに対応している任意のカテゴリには「写真撮影された場所の住所」及び「マスコット人形」等のキーワード又はキーセンテンスが夫々記憶されている。
人数の欄には、個人登録ページ４１にて各検索キーを入力した個人ユーザの人数が記憶されており、初期値としては０が記憶されている。
【００４１】
位置情報は、各検索キーに対応する情報を有するウェブページデータの位置情報である。該位置情報は、中央装置１が、検索キーデータベース１７に記憶されている検索キーに基づき、従来の検索エンジンを用いて定期的に検索し取得した位置情報、中央装置１の管理者が、各検索キーに関連付けて記憶させた位置情報、個人ユーザが、情報紹介ページ４５（図１１参照）若しくは集計ページ４６（図１２参照）上で入力した位置情報、又は、企業ユーザが、集計ページ４６上で入力した位置情報である。
位置情報の欄には、位置情報番号が記憶されており、位置情報の実体は、位置情報番号に関連付けられて、位置情報データベース１８（図６参照）に記憶されている。
【００４２】
図６は、中央装置１が備える位置情報データベース１８に記憶されている情報の一例を示す模式図である。
位置情報データベース１８には、位置情報番号、位置情報、タイトル、及びバナー等が関連付けて記憶されている。
位置情報番号は、位置情報夫々に与えられている番号である。
位置情報は、ウェブサーバ３，３，…が保有しているウェブページデータの位置情報であり、該位置情報は、例えばＵＲＬである。位置情報に関連付けて、後述するタイトル又はバナーが記憶されていない場合、情報収集ページ４３（図９参照）、個人ページ４４（図１０参照）、又は情報紹介ページ４５（図１１参照）には、位置情報（この場合ＵＲＬ）が、該位置情報を有するハイパーテキストとして表示される。
【００４３】
タイトルは、情報収集ページ４３、個人ページ４４、又は情報紹介ページ４５に位置情報を表示する代わりに該位置情報を有するハイパーテキストとして表示される見出し語である。
バナーは、情報収集ページ４３、個人ページ４４、又は情報紹介ページ４５に位置情報を表示する代わりに該位置情報を有するハイパーリンクとして表示される見出し画像である。バナーの欄には、バナーとなるべき画像データのバナーデータベース１９における位置情報が記憶されている。
バナーデータベース１９は、画像データを、位置情報に関連付けて記憶してある。
なお、位置情報データベース１８に、タイトル及びバナーの両方が記憶されている場合、送信すべきウェブページデータのデータ量又は端末装置２からの要求等に応じて、中央装置１がどちらか一方を選択するよう構成してあっても良い。
【００４４】
図７〜図１２は、端末装置２が備える表示部２４に表示されるウェブページの一例を示す模式図である。
本実施の形態の情報収集システムはトップページ（不図示）を有し、該トップページは、個人ユーザ又は企業ユーザが端末装置２にインストールされているブラウザを用い、所定の位置情報を入力したり他のウェブページにて所定の選択操作を行なったりすることによって表示部２４に表示される。
【００４５】
前記トップページには、個人登録ページ４１（図７参照）、企業登録ページ４２（図８参照）、及び不図示のログインページ等のウェブページデータの位置情報を有するボタン又はハイパーテキスト等が夫々設けられており、該ボタン又はハイパーテキスト等が操作された場合に、対応するウェブページが表示部２４に表示されるよう構成してある。また、トップページには、情報収集システムの使用方法、又は各ウェブページの説明等が表示される。
【００４６】
ログインページは、個人ユーザ又は企業ユーザが、情報収集システムにログインすべく、端末装置２を用い、トップページにてログインページを閲覧するための操作を行なった場合に表示部２４に表示される。ログインページは、個人ユーザ（又は企業ユーザ）が、情報収集者（又は情報提供者）を識別する識別情報であるユーザＩＤ及びパスワードを夫々記入するためのテキストボックスと、該テキストボックスに記入したユーザＩＤ及びパスワードを入力するためのボタンとを備える。該ボタンが操作された場合、端末装置２は、入力されたユーザＩＤ及びパスワードを中央装置１へ送信する。
個人ユーザが情報収集システムにログインした場合は、個人ページ４４（図１０参照）が表示部２４に表示され、企業ユーザがログインした場合は、集計ページ４６（図１１参照）が表示部２４に表示される。
【００４７】
図７は、情報収集者である個人ユーザを識別する識別情報（ユーザ名、又はユーザＩＤの代わりに用いられるセッションＩＤ）及び情報収集のための検索キーを、端末装置２が中央装置１へ送信するための個人登録ページ４１である。
個人登録ページ４１は、未登録の（即ちユーザＩＤ及びパスワードが発行されていない）個人ユーザが、トップページにて個人登録ページ４１を閲覧するための操作を行なった場合、又は、登録済みの（即ちユーザＩＤ及びパスワードが発行されている）個人ユーザが個人ページ４４（図１０参照）にて個人登録ページ４１を閲覧すべくハイパーテキスト４４１を操作した場合等に表示部２４に表示される。
【００４８】
個人登録ページ４１は、個人ユーザの個人ユーザ名を記入するためのテキストボックス４１１、性別を選択するためのラジオボタン４１２，４１２、住所（都道府県名）を選択するためのプルダウンメニュー４１３、生年月日を選択するためのプルダウンメニュー４１４，４１４，…、選択検索キーを選択するためのチェックボックス４１５，４１５，…、任意検索キーを記入するためのテキストボックス４１６、及び、記入又は選択した内容を入力するためのＯＫボタン４１７等を備える。また、図示はしないが、情報収集システムの個人ユーザとして登録するための情報（例えばメールアドレス）を選択又は記入するためのチェックボックス又はテキストボックス等も備える。
【００４９】
個人登録ページ４１には、検索キーデータベース１７に記憶されている全ての選択検索キーのカテゴリ及び該選択検索キーが表示されている。
個人ユーザは、操作部２５を用い、ラジオボタン４１３及びプルダウンメニュー４１３，４１４，…等をマウスポインタ４で操作することによって所要の補助検索キーを選択し、また、テキストボックス４１１，４１６に文字情報を記入することによって個人ユーザ名及び任意検索キーを記入し、１又は複数のチェックボックス４１５，４１５，…をマウスポインタ４で操作することによって所要の選択検索キーを選択する。最後に、個人ユーザは、ＯＫボタン４１７をマウスポインタ４で操作することによって、選択又は記入した各種検索キーを入力する。以上のようにして、未登録の個人ユーザは、個人登録ページ４１にて登録手続及び検索キーの入力を行なう。
【００５０】
また、登録済みの個人ユーザは、個人登録ページ４１にて検索キーの追加／削除／変更等を行なう。この場合、個人登録ページ４１に、個人ユーザのユーザＩＤに関連付けて情報収集者データベース１５に記憶されている個人ユーザ名又は検索キー等が表示されていても良い。このとき、個人ユーザは、既に入力している検索キーを参照しながら容易に検索キーの追加／削除／変更等を行なうことができる。
登録済みの個人ユーザが検索キーを入力した場合、ＯＫボタン４１７が操作されたとき、端末装置２は、入力された各種情報とセッションＩＤ（即ち識別情報）と関連付けて中央装置１へ送信する。中央装置１は、受信した識別情報に関連付けて各種情報を記憶する。
【００５１】
未登録の個人ユーザが検索キーを入力した場合、ＯＫボタン４１７が操作されたとき、端末装置２は、入力された各種情報と個人ユーザ名（即ち識別情報）とを関連付けて中央装置１へ送信する。中央装置１は、受信した識別情報に関連付けて各種情報を記憶する。また、中央装置１（又は中央装置１の管理者等）は、情報収集者データベース１５及び情報提供者データベース１６に記憶されているものとは異なるユーザＩＤ及びパスワードを生成して、生成したユーザＩＤ及びパスワードを、前記識別情報に関連付けて情報収集者データベース１５に記憶し、更に、電子メール又は郵便等で個人ユーザに報知する（ユーザＩＤ及びパスワードの発行）。
【００５２】
図８は、端末装置２が、位置情報を中央装置１へ送信するための企業登録ページ４２である。
企業登録ページ４２は、未登録の（即ちユーザＩＤ及びパスワードが発行されていない）企業ユーザが、トップページにて企業登録ページ４２を閲覧するための操作を行なった場合、又は、登録済みの（即ちユーザＩＤ及びパスワードが発行されている）企業ユーザが集計ページ４６（図１２参照）にて企業登録ページ４２を閲覧すべくハイパーテキスト４６２を操作した場合等に表示部２４に表示される。
【００５３】
企業登録ページ４２は、企業ユーザの企業ユーザ名を記入するためのテキストボックス４２１、企業ユーザが提供したい情報を有するウェブページデータの位置情報であるＵＲＬを記入するためのテキストボックス４２２、位置情報を有するハイパーテキストとしてウェブページに表示されるタイトル（見出し語）を記入するためのテキストボックス４２３、位置情報を有するハイパーリンクとしてウェブページに表示されるバナー（見出し画像）の画像データのファイル名を記入するためのテキストボックス４２４、記入又は選択した内容を入力するためのＯＫボタン４２５等を備える。また、図示はしないが、情報収集システムの企業ユーザとして登録するための情報（例えばメールアドレス）を選択又は記入するためのチェックボックス又はテキストボックス等も備える。
【００５４】
企業ユーザは、操作部２５を用い、テキストボックス４２１，４２２，…，４２４に文字情報を記入することによって企業ユーザ名と位置情報とタイトル及び／又はバナーの画像データのファイル名等とを記入し、ＯＫボタン４２５を操作することによって、記入した各種情報を入力する。ＯＫボタン４２５が操作された場合、端末装置２は、入力された各種情報とバナーの画像データのファイルとを中央装置１へ送信する。
以上のようにして、未登録の企業ユーザは、企業登録ページ４２にて登録手続及び位置情報の入力を行なう。
また、登録済みの企業ユーザは、企業登録ページ４２にて位置情報又はバナー等の追加／削除／変更等を行なう。この場合、企業登録ページ４２に、企業ユーザのユーザＩＤに関連付けて情報提供者データベース１６に記憶されている企業ユーザ名又は位置情報等が表示されていても良い。
【００５５】
登録済みの企業ユーザが検索キーを入力した場合、ＯＫボタン４２５が操作されたとき、端末装置２は、入力された各種情報とセッションＩＤ（即ち識別情報）と関連付けて中央装置１へ送信する。中央装置１は、受信した識別情報に関連付けて各種情報を記憶する。
【００５６】
未登録の企業ユーザが検索キーを入力した場合、ＯＫボタン４２５が操作されたとき、端末装置２は、入力された各種情報と企業ユーザ名（即ち識別情報）と関連付けて中央装置１へ送信する。中央装置１は、受信した識別情報に関連付けて各種情報を記憶する。また、中央装置１（又は中央装置１の管理者等）は、情報収集者データベース１５及び情報提供者データベース１６に記憶されているものとは異なるユーザＩＤ及びパスワードを生成して、生成したユーザＩＤ及びパスワードを、前記識別情報に関連付けて情報提供者データベース１６に記憶し、更に、電子メール又は郵便等で企業ユーザに報知する（ユーザＩＤ及びパスワードの発行）。
【００５７】
なお、テキストボックス４２２，４２３，４２４に対応付けて、提供するウェブページの推薦文を記入するためのテキストボックスが設けられるよう構成してあっても良い。
また、企業登録ページ４２に、企業ユーザの経営方針又は経営状態等を入力させるチェックボックス又はテキストボックス等を設けて、登録すべき企業ユーザを審査するためのウェブページとし、入力された経営方針又は経営状況等によって登録を許可するか否か（即ちユーザＩＤ及びパスワードを発行するか否か）を判断する構成としても良い。
【００５８】
図９は、端末装置２が、個人ユーザが入力した検索キーに対応する紹介位置情報を中央装置１から受信し、該紹介位置情報を用いて該紹介位置情報に対応するウェブページデータをウェブサーバ３から受信し、更に、前記紹介位置情報に決定することを示す決定情報、及び情報収集者である個人ユーザを識別する識別情報（ユーザＩＤの代わりに用いられるセッションＩＤ）を中央装置１へ送信するための情報収集ページ４３（個人ユーザの公開ページ）である。
情報収集ページ４３は、個人ユーザが個人ページ４４（図１０参照）にて情報収集ページ４３を閲覧すべくハイパーテキスト４４３を操作した場合等に表示部２４に表示される。
【００５９】
情報収集ページ４３には、個人ページ４４の位置情報を有するハイパーテキスト４３４が設けられており、ハイパーテキスト４３４が操作された場合、表示部２４に個人ページ４４が表示される。
なお、情報収集ページ４３に、個人登録ページ４１、情報紹介ページ４５（図１１参照）、及び／又は集計ページ４６（図１２参照）を閲覧するためのハイパーテキスト又はボタン等が設けられていても良い。
【００６０】
情報収集ページ４３には、個人ユーザが個人登録ページ４１から入力した選択検索キーのカテゴリ及び該選択検索キーと任意検索キーとが表示され、表示された各検索キーに対応付けて、チェックボックス４３１と、１個〜３個のリンク４３７とが設けられ、各リンク４３７に対応付けて、チェックボックス４３２が設けられている。
リンク４３７は、個人ユーザのユーザＩＤに関連付けて情報収集者データベース１５に記憶されている紹介位置情報を有するハイパーリンク又はハイパーテキストであり、バナー、タイトル、又は位置情報として表示されている。
【００６１】
個人ユーザがリンク４３７を操作した場合、端末装置２は、操作されたリンク４３７が有する位置情報を用い、ウェブサーバ３から、前記位置情報に対応するウェブページデータを受信し、受信したウェブページデータを用いてなるウェブページを別ウィンドウに表示させる。このようにして、個人ユーザは、情報収集システムに紹介されたウェブページを閲覧し、該ウェブページが自分にとって必要であるか否かを判断する。
なお、各リンク４３７に対応付けて、情報紹介者（個人ユーザ、又は中央装置１の管理者）若しくは情報提供者（企業ユーザ）の推薦文、又は、該リンク４３７に対応するウェブページの内容の抜粋等が表示されるよう構成してあっても良い。
【００６２】
更に、情報収集ページ４３には、リンク４３７，４３７，…の内容を更新するための更新ボタン４３３と、リンク４３７，４３７，…が有する位置情報に決定するための決定ボタン４３５とを備える。
個人ユーザは、所要の検索キーに対応付けられたチェックボックス４３１，４３１，…を操作して選択し、その選択後、更新ボタン４３３を操作する。この場合、端末装置２は、中央装置１へ、所定の検索キーに対応して表示されているリンク４３７，４３７，…の内容を更新するよう要求する更新情報を送信する。このとき、表示部２４には再び情報収集ページ４３が表示され、該情報収集ページ４３には、他の位置情報を有するリンク４３７，４３７，…が設けられている。
【００６３】
また、個人ユーザは、所要のリンク４３７，４３７，…に対応付けられたチェックボックス４３２，４３２，…を操作して選択し、その選択後、決定ボタン４３５を操作する。この場合、端末装置２は、中央装置１へ、情報収集者が決定したリンク４３７，４３７，…の内容を個人ページ４４（図１０参照）へ移動させるよう要求する決定情報を送信する。このとき、表示部２４には個人ページ４４が表示され、該情報収集ページ４４には、決定したリンク４３７，４３７，…が有していた位置情報を有するリンク４４７，４４７，…が設けられる。
【００６４】
情報収集ページ４３には、１個の検索キーに対応させて１〜３個のリンク４３７が設けられているため、該リンク４３７によって紹介されたウェブページが自分にとって必要であるか否かを判断する個人ユーザの作業が低減される。また、必要なウェブページではない場合、又は、他のウェブページを閲覧したい場合、個人ユーザは、更新ボタン４３３を操作することによって他のリンク４３７を得て、該リンク４３７によって紹介されたウェブページが自分にとって必要であるか否かを判断する。
以上のような情報収集ページ４３に表示されている検索キー及びリンク４３７，４３７，…等は、図１１に示されるようにして他の個人ユーザに公開される。
【００６５】
図１０は、端末装置２が、中央装置１から決定位置情報を受信し、該決定位置情報を用いて該決定位置情報に対応するウェブページデータをウェブサーバ３から受信するための個人ページ４４（個人ユーザの非公開ページ）である。
個人ページ４４は、個人ユーザがログインした直後、又は、情報収集ページ４３、情報紹介ページ４５（図１１参照）、若しくは集計ページ４６（図１２参照）にて個人ページ４４を閲覧すべくハイパーテキスト４３４，４５４，４６４を操作した場合等に表示部２４に表示される。
個人ページ４４には、個人登録ページ４１、情報収集ページ４３、及び集計ページ４６の位置情報を有するハイパーテキスト４４１，４４３，４４６が設けられており、ハイパーテキスト４４１，４４３，４４６が操作された場合、対応する各ウェブページが表示部２４に表示される。
【００６６】
また、個人ページ４４には、１又は複数の他の個人ユーザの情報収集ページ４３に夫々対応する情報紹介ページ４５（図１１参照）の位置情報を有するプルダウンメニュー４４５が設けられている。プルダウンメニュー４４５の各メニューとしては他の個人ユーザの個人ユーザ名が表示され、一の個人ユーザ名が選択操作された場合、選択された個人ユーザ名を有する個人ユーザの情報収集ページ４３に対応する情報紹介ページ４５が表示部２４に表示される。
【００６７】
なお、プルダウンメニュー４４５の各メニューとなる個人ユーザ名を有する個人ユーザは、情報収集システムに登録している全ての個人ユーザであっても良いし、中央装置１がランダムに選択した個人ユーザであっても良いし、略同一の（又は全く異なる）検索キーを選択している個人ユーザであっても良い。
また、例えば一の個人ユーザが検索キーを入力し、入力された検索キーを選択している他の個人ユーザの個人ユーザ名をプルダウンメニュー４４５に表示する構成であっても良い。更に、個人ユーザ名を選択するためのプルダウンメニュー４４５ではなく、例えば、個人ユーザ名を記入するためのテキストボックスを設ける構成であっても良い。
【００６８】
個人ページ４４には、個人ユーザが個人登録ページ４１から入力した選択検索キーのカテゴリ及び該選択検索キーと任意検索キーとが表示され、表示された各検索キーに対応付けて、１又は複数のリンク４４７が設けられている。
リンク４４７は、ウェブページデータの位置情報を有するハイパーリンク又はハイパーテキストであり、バナー、タイトル、又は位置情報として表示されている。リンク４４７が有する位置情報は、個人ユーザのユーザＩＤに関連付けて情報収集者データベース１５に記憶されている決定位置情報である。即ち、リンク４４７は、情報収集ページ４３にて個人ユーザが決定したリンク４３７に対応する。このため、個人ユーザが、情報収集ページ４３にてリンク４３７を決定していない検索キーに対しては、リンク４４７は設けられない。
【００６９】
個人ユーザがリンク４４７を操作した場合、端末装置２は、操作されたリンク４４７が有する位置情報を用い、ウェブサーバ３から、前記位置情報に対応するウェブページデータを受信し、受信したウェブページデータを用いてなるウェブページを別ウィンドウに表示させる。このようにして、個人ユーザは、情報収集システムに紹介され該個人ユーザがリンクすることを決定したウェブページを閲覧し、該ウェブページが有する情報を取得する。
以上のような個人ページ４４は、他の個人ユーザには公開されない。
【００７０】
なお、個人ページ４４は、リンク４４７，４７７，…の削除、又はリンク４４７，４７７，…の配置変更等が可能であるよう構成してあっても良い。
また、個人ページ２４には検索キーのみが表示され、該検索キーはハイパーテキストとして設けられており、該ハイパーテキストを選択した場合に、選択した検索キーに対応するリンク４４７，４４７，…を有するウェブページが表示されるよう構成してあっても良い。
【００７１】
図１１は、端末装置２が、他の個人ユーザが入力した検索キーに対応する紹介位置情報を中央装置１から受信し、該紹介位置情報を用いて該紹介位置情報に対応するウェブページデータをウェブサーバ３から受信し、前記紹介位置情報に対応させて位置情報を中央装置１へ送信するための情報紹介ページ４５（他の個人ユーザの公開ページ）である。
情報紹介ページ４５は、個人ユーザが個人ページ４４にて情報紹介ページ４５を閲覧すべくプルダウンメニュー４４５のメニュー（即ち他のユーザ名）を選択操作した場合に表示部２４に表示される。
【００７２】
情報紹介ページ４５には、個人ページ４４の位置情報を有するハイパーテキスト４５４が設けられており、ハイパーテキスト４５４が操作された場合、表示部２４に個人ページ４４が表示される。
なお、情報紹介ページ４５に、個人登録ページ４１、情報収集ページ４３、及び／又は集計ページ４６（図１２参照）を閲覧するためのハイパーテキスト又はボタン等が設けられていても良い。
【００７３】
情報紹介ページ４５は、一の個人ユーザが個人ページ４４のプルダウンメニュー４４５で選択した個人ユーザ名を有する他の個人ユーザの情報収集ページ４３に対応する。このような情報紹介ページ４５は、前記一の個人ユーザが前記他の個人ユーザに、該他の個人ユーザが必要であると思われる情報を有するウェブページを紹介するためのウェブページである。このため、情報紹介ページ４５上では、前記一の個人ユーザは、情報収集ページ４３にて行なえるようなリンク４５７，４５７，…の更新又は決定等を行なうことはできない。
【００７４】
情報紹介ページ４５には、前記他の個人ユーザが個人登録ページ４１から入力した選択検索キーのカテゴリ及び該選択検索キーと任意検索キーとが表示され、表示された各検索キーに対応付けて、１個〜３個のリンク４５７と、前記一のユーザが前記他の個人ユーザに紹介したいウェブページデータの位置情報であるＵＲＬを記入するためのテキストボックス４５１、位置情報を有するハイパーテキストとしてウェブページに表示させるタイトルを記入するためのテキストボックス４５２、位置情報を有するハイパーリンクとしてウェブページに表示させるバナーの画像データのファイル名を記入するためのテキストボックス４５３と、記入した内容を入力するためのＯＫボタン４５５とが設けられている。
【００７５】
リンク４５７は、前記他の個人ユーザのユーザＩＤに関連付けて情報収集者データベース１５に記憶されている紹介位置情報を有するハイパーリンク又はハイパーテキストであり、バナー、タイトル、又は位置情報として表示されている。
前記一の個人ユーザがリンク４５７を操作した場合、端末装置２は、操作されたリンク４５７が有する位置情報を用い、ウェブサーバ３から、前記位置情報に対応するウェブページデータを受信し、受信したウェブページデータを用いてなるウェブページを別ウィンドウに表示させる。このようにして、前記一の個人ユーザは、前記他の個人ユーザに紹介されているウェブページの情報、即ち、前記他の個人ユーザが必要としているであろう情報を確認する。
【００７６】
前記一の個人ユーザは、端末装置２の操作部２５を用い、テキストボックス４５１，４５２，４５３に文字情報を記入することによって位置情報とタイトル及び／又はバナーの画像データのファイル名等とを記入し、ＯＫボタン４５５を操作することによって、記入した各種情報を入力する。ＯＫボタン４５５が操作された場合、端末装置２は、入力された各種情報とバナーの画像データのファイルとを中央装置１へ送信する。
なお、情報紹介ページ４５は、テキストボックス４５１，４５２，４５３に対応付けて、紹介するウェブページの推薦文を記入するためのテキストボックスが設けられるよう構成してあっても良い。また、企業ユーザも情報紹介ページ４５を閲覧して個人ユーザにウェブページを紹介できるよう構成してあっても良い。
【００７７】
図１２は、端末装置２が、検索キーを含む集計結果を中央装置１から受信し、該集計結果に含まれる検索キーに対応させて位置情報を中央装置１へ送信するための集計ページ４６である。
集計ページ４６は、集計ページ４６上で個人ユーザ又は企業ユーザが検索キーを選択し、選択された検索キーを個人登録ページ４１にて入力した個人ユーザ全てに対して、彼らが必要としている可能性が高い情報を有するウェブページを、前記個人ユーザ又は企業ユーザが紹介するためのウェブページである。このため、集計ページ４６は、特に企業ユーザが、該企業ユーザが提供する情報に対応している検索キーを入力した個人ユーザ全てに対して、前記情報を有するウェブページを紹介する場合に有用である。
集計ページ４６は、企業ユーザがログインした直後、又は、個人ページ４４にて集計ページ４６を閲覧すべくハイパーテキスト４４６を操作した場合に表示部２４に表示される。
【００７８】
企業ユーザの場合、集計ページ４６には、企業登録ページ４２の位置情報を有するハイパーテキスト４６２が設けられており、ハイパーテキスト４６２が操作されたとき、表示部２４に企業登録ページ４２が表示される。
また、個人ユーザの場合、集計ページ４６には、個人ページ４４の位置情報を有するハイパーテキスト４６４が設けられており、ハイパーテキスト４６４が操作されたとき、表示部２４に個人ページ４４が表示される。
なお、個人ユーザの場合、集計ページ４６に、個人登録ページ４１、情報収集ページ４３、個人ページ４４、及び／又は情報紹介ページ４５を閲覧するためのハイパーテキスト又はボタン等が設けられていても良い。
【００７９】
更に、個人ユーザの場合、集計ページ４６には、他の個人ユーザに紹介したいウェブページデータの位置情報であるＵＲＬを記入するためのテキストボックス４６５、位置情報を有するハイパーテキストとしてウェブページに表示させるタイトルを記入するためのテキストボックス４６６、位置情報を有するハイパーリンクとしてウェブページに表示させるバナーの画像データのファイル名を記入するためのテキストボックス４６７とが設けられている。
【００８０】
集計ページ４６には、検索キーデータベース１７に記憶されている全ての選択検索キーのカテゴリ及び該選択検索キーと、補助検索キーと、任意検索キーとが表示されている。また、各検索キーに対応付けて、該検索キーを選択している個人ユーザの人数（即ち検索キーデータベース１７に記憶されている人数）が表示され、更に、チェックボックス４６１が設けられている。
また、集計ページ４６には、各種情報を入力するためのＯＫボタン４６８が設けられている。
【００８１】
個人ユーザは、操作部２５を用い、チェックボックス４６１を選択することによって検索キーを選択し、テキストボックス４６５，４６６，４６７に文字情報を記入することによって位置情報とタイトル及び／又はバナーの画像データのファイル名等とを記入し、ＯＫボタン４６８を操作することによって、チェックボックス４６１が選択された検索キーとテキストボックス４６５，４６６，４６７に記入した位置情報とタイトル及び／又はバナーの画像データのファイル名とを関連付けて入力する。ＯＫボタン４６５が操作された場合、端末装置２は、入力された各種情報とバナーの画像データのファイルとを中央装置１へ送信する。
【００８２】
企業ユーザは、端末装置２の操作部２５を用い、チェックボックス４６１を選択することによって検索キーを選択し、ＯＫボタン４６８を操作することによって、企業ユーザが企業登録ページ４２にて予め入力してある位置情報とチェックボックス４６１が選択された検索キーとを関連付けて入力する。ＯＫボタン４６５が操作された場合、端末装置２は、入力された検索キーを中央装置１へ送信する。このため、企業ユーザは、企業登録ページ４２にて位置情報を入力する必要がない。
【００８３】
なお、複数のチェックボックス４６１，４６１，…を選択した個人ユーザ又は企業ユーザが、選択されたチェックボックス４６１，４６１，…に対応する検索キーの内、何れか１つの検索キーを入力した個人ユーザに対してウェブページを紹介する（ＯＲ）か、前記検索キーを全て入力した個人ユーザに対してウェブページを紹介する（ＡＮＤ）かを選択できるよう構成してあっても良い。
以上のような情報収集ページ４３、個人ページ４４、情報紹介ページ４５、及び集計ページ４６には、ログアウトを要求するためのボタン又はハイパーテキスト等（不図示）が設けられている。また、各ウェブページは、同一のウィンドウに表示されても良く、別ウィンドウに夫々表示されても良い。
【００８４】
図１３及び図１４は、端末装置２の情報収集処理の手順を示すフローチャートである。
端末装置２のＣＰＵ２０は、例えば該端末装置２の個人ユーザ又は企業ユーザが入力した位置情報を用いて、中央装置１にウェブページデータを要求し（Ｓ１１）、要求したウェブページデータを受信するまで待機し、受信したウェブページデータを用いて表示部２４にウェブページを表示させる（Ｓ１２）。この場合、表示されるウェブページは情報処理システムのトップページである。
【００８５】
次いで、ＣＰＵ２０は、個人登録ページ４１又は企業登録ページ４２のウェブページデータを要求するか、ログインページのウェブページデータを要求するかを判定する（Ｓ１３）。この場合、ＣＰＵ２０は、トップページに設けられている個人登録ページ４１又は企業登録ページ４２のウェブページデータの位置情報を有するボタン若しくはハイパーテキスト等が操作されたか、ログインページのウェブページデータの位置情報を有するボタン若しくはハイパーテキストが操作されたかを判定する。
【００８６】
個人登録ページ４１又は企業登録ページ４２のウェブページデータの位置情報を有するボタン若しくはハイパーテキスト等が操作された場合（Ｓ１３で登録）、ＣＰＵ２０は、個人登録ページ４１又は企業登録ページ４２のウェブページデータを中央装置１に要求し、要求したウェブページデータを受信するまで待機し、受信したウェブページデータを用いて表示部２４にウェブページを表示させる（Ｓ１４）。この場合、表示されるウェブページは個人登録ページ４１又は企業登録ページ４２である。
ＣＰＵ２０は、個人登録ページ４１又は企業登録ページ４２に設けられているＯＫボタン４１７又はＯＫボタン４２５が操作されたか否かを判定し（Ｓ１５）、操作されていない場合は（Ｓ１５でＮＯ）、操作されるまで待機する。
【００８７】
ＯＫボタン４１７又はＯＫボタン４２５が操作された場合（Ｓ１５でＹＥＳ）、ＣＰＵ２０は、個人登録ページ４１にて選択／記入された検索キー及び個人ユーザ名等を、又は、企業登録ページ４２にて記入された位置情報及び企業ユーザ名等を、中央装置１へ送信し（Ｓ１６）、情報収集処理を終了する。
なお、Ｓ１６の処理後、中央装置１が再びトップページのウェブページデータを送信するよう構成しても良く、この場合、ＣＰＵ２０は処理をＳ１２へ戻す。また、Ｓ１６にて選択／記入された各種データに不備がある場合、中央装置１が再び個人登録ページ４１又は企業登録ページ４２を送信するよう構成しても良く、この場合、ＣＰＵ２０は処理をＳ１４へ戻す。
【００８８】
ログインページのウェブページデータの位置情報を有するボタン若しくはハイパーテキスト等が操作された場合（Ｓ１３でログイン）、ＣＰＵ２０は、ログインページのウェブページデータを中央装置１に要求し、要求したウェブページデータを受信するまで待機し、受信したウェブページデータを用いて表示部２４にウェブページを表示させる（Ｓ１７）。この場合、表示されるウェブページはログインページである。
ＣＰＵ２０は、ログインページにてユーザＩＤ及びパスワードが入力されたか否か（ログインが要求されたか否か）を判定し（Ｓ１８）、入力されていない場合は（Ｓ１８でＮＯ）入力されるまで待機する。
【００８９】
ユーザＩＤ及びパスワードが入力された場合（Ｓ１８でＹＥＳ）、ＣＰＵ２０は、入力されたユーザＩＤ及びパスワードを中央装置１へ送信し（Ｓ１９）、次に、セッションＩＤを受信したか否かを判定し（Ｓ２０）、受信していない場合は（Ｓ２０でＮＯ）、ウェブページデータを受信するまで待機して、受信したウェブページデータを用いて表示部２４にウェブページを表示させ、情報収集処理を終了する。この場合、表示されるウェブページは、ユーザＩＤ及びパスワードが、登録された個人ユーザ又は企業ユーザのユーザＩＤ及びパスワードとは異なる旨を報知するユーザ未登録ページである。
なお、ユーザ未登録ページに、ユーザＩＤ及びパスワードを入力するテキストボックス及びボタン等が設けられていても良い。この場合、Ｓ２０の処理の終了後、ＣＰＵ２０は、処理をＳ１８へ戻す。
【００９０】
セッションＩＤを受信した場合（Ｓ２０でＹＥＳ）、ＣＰＵ２０は、ＲＡＭ２２にセッションＩＤを記憶させる。
ＣＰＵ２０は、ウェブページデータを受信するまで待機して、受信したウェブページデータを用いて表示部２４にウェブページを表示させる（Ｓ３１）。ログイン直後の場合、表示されるウェブページは、個人ユーザの場合は、個人ページ４４であり、企業ユーザの場合は、集計ページ４６である。なお、このとき受信されるウェブページデータとセッションＩＤとは、同時的に受信されても良い。
【００９１】
Ｓ３１でウェブページデータを受信し、受信したウェブページデータを用いて表示部２４にウェブページを表示させた後、ＣＰＵ２０は、ウェブページデータを中央装置１又はウェブサーバ３に要求するか否かを判定し（Ｓ３２）、要求しない場合は（Ｓ３２でＮＯ）、決定情報又は更新情報が入力されたか否かを判定し（Ｓ３４）、入力されていない場合は（Ｓ３４でＮＯ）、位置情報が入力されたか否かを判定し（Ｓ３６）、入力されていない場合は（Ｓ３６でＮＯ）、検索キーが入力されたか否かを判定し（Ｓ３８）、入力されていない場合は（Ｓ３８でＮＯ）、ログアウトが要求されたか否かを判定し（Ｓ４０）、要求されていない場合は（Ｓ４０でＮＯ）、処理をＳ３２へ戻す。
【００９２】
ＣＰＵ２０は、ハイパーテキスト４４１又はプルダウンメニュー４４５の一のメニュー等が操作された場合、ウェブページデータを中央装置１に要求すると判定し（Ｓ３２で中央装置）、操作されたハイパーテキスト又はプルダウンメニューのメニューが有する位置情報を用いて中央装置１にウェブページデータを要求する情報とＲＡＭ２２に記憶されているセッションＩＤとを送信する。次いで、ＣＰＵ２０は、処理をＳ３１へ戻し、要求したウェブページデータを受信するまで待機し、受信したウェブページデータを用いて表示部２４にウェブページを表示させる。
【００９３】
ＣＰＵ２０は、例えばリンク４３７が操作された場合、ウェブページデータをウェブサーバ３に要求すると判定し（Ｓ３２でウェブサーバ）、操作されたリンクが有する位置情報を用いてウェブサーバ３にウェブページデータを要求する。次いで、ＣＰＵ２０は、要求したウェブページデータを受信するまで待機し、受信したウェブページデータを用いて表示部２４の別ウィンドウにウェブページを表示させ（Ｓ３３）、処理をＳ３２へ戻す。
以上のようにして、端末装置２は、受信した位置情報を用いて該位置情報に対応するウェブページデータを受信する。
【００９４】
ＣＰＵ２０は、決定ボタン４３５が操作された場合、決定情報が入力されたと判定し、また、更新ボタン４３３が操作された場合、更新情報が入力されたと判定し（Ｓ３４でＹＥＳ）、入力された決定情報又は更新情報とＲＡＭ２２に記憶されているセッションＩＤとを中央装置１へ送信し（Ｓ３５）、処理をＳ３１へ戻して、ウェブページデータを受信するまで待機し、受信したウェブページデータを用いて表示部２４にウェブページを表示させる。
決定情報が送信された場合、表示されるウェブページは、情報収集ページ４３にて決定されたリンク４３７，４３７，…に対応するリンク４４７，４４７，…を有する個人ページ４４であり、更新情報が送信された場合、表示されるウェブページは、情報収集ページ４３にて更新を要求された検索キーに対応するリンク４３７，４３７，…とは異なるリンク４３７，４３７，…を有する情報収集ページ４３である。
【００９５】
ＣＰＵ２０は、ＯＫボタン４２５、ＯＫボタン４５５、又はＯＫボタン４６８が操作された場合、位置情報が入力されたと判定する（Ｓ３６でＹＥＳ）。
次いで、ＣＰＵ２０は、企業登録ページ４２の場合は、入力された位置情報とタイトル及び／又はバナーの画像ファイルとＲＡＭ２２に記憶されているセッションＩＤとを、情報紹介ページ４５の場合は、リンク４５７，４５７，…が有する紹介位置情報に対応する検索キーに関連付けて入力された位置情報とタイトル及び／又はバナーの画像ファイルとＲＡＭ２２に記憶されているセッションＩＤとを、集計ページ４６の場合は、集計結果に含まれる検索キーに対応付けて入力された位置情報とタイトル及び／又はバナーの画像ファイルとＲＡＭ２２に記憶されているセッションＩＤとを、夫々中央装置１へ送信する（Ｓ３７）。
【００９６】
ただし、企業ユーザの場合、集計ページ４６の場合にて入力すべき位置情報に対応する位置情報は予め情報提供者データベース１６に記憶されているため、集計結果に含まれる検索キーとＲＡＭ２２に記憶されているセッションＩＤとを中央装置１へ送信する。
次いで、ＣＰＵ２０は、処理をＳ３１へ戻して、ウェブページデータを受信するまで待機し、受信したウェブページデータを用いて表示部２４にウェブページを表示させる。この場合、表示されるウェブページは、情報紹介ページ４５（Ｓ３７で情報紹介ページ４５だった場合）又は集計ページ４６（Ｓ３７で企業登録ページ４２又は集計ページ４６だった場合）である。
【００９７】
ＣＰＵ２０は、ＯＫボタン４１７が操作された場合、検索キーが入力されたと判定し（Ｓ３８でＹＥＳ）、入力された個人ユーザ名及び検索キー等とＲＡＭ２２に記憶されているセッションＩＤとを中央装置１へ送信し（Ｓ３９）、処理をＳ３１へ戻して、ウェブページデータを受信するまで待機し、受信したウェブページデータを用いて表示部２４にウェブページを表示させる。この場合、表示されるウェブページは、情報収集ページ４３であるため、情報収集者は、入力した検索キーに対応するリンク４３７，４３７，…を容易に確認する。
ＣＰＵ２０は、表示されたウェブページにてログアウトを要求するためのボタン又はハイパーテキスト等が操作されたりブラウザが終了されたりしてログアウトが要求された場合（Ｓ４０でＹＥＳ）、ログアウトを要求する情報とＲＡＭ２２に記憶されているセッションＩＤとを中央装置１へ送信し、記憶してあるセッションＩＤをＲＡＭ２２から消去して、情報収集処理を終了する。
【００９８】
図１５及び図１６は、中央装置１の情報収集処理の手順を示すフローチャートである。以下では、中央装置１と一の端末装置２とが通信を行なう場合を例示する。
中央装置１のＣＰＵ１０は、位置情報を用いてウェブページデータを要求されるまで待機し、要求されたウェブページデータ（例えば、トップページのウェブページデータ）を端末装置２へ送信する（Ｓ５１）。
次いで、ＣＰＵ１０は、位置情報を受信したか否かを判定し（Ｓ５２）、受信していない場合は（Ｓ５２でＮＯ）、検索キーを受信したか否かを判定し（Ｓ５３）、受信していない場合は（Ｓ５３でＮＯ）、ユーザＩＤ及びパスワードを受信したか否かを判定し（Ｓ５４）、受信していない場合は（Ｓ５４でＮＯ）、位置情報を用いてウェブページデータを要求されたか否かを判定し（Ｓ５５）、要求されていない場合は（Ｓ５５でＮＯ）、処理をＳ５２へ戻す。
【００９９】
ＣＰＵ１０は、位置情報を用いてウェブページデータを要求された場合（Ｓ５５でＹＥＳ）、処理をＳ５１へ戻す。この場合、ＣＰＵ１０は、前記位置情報に応じて、個人登録ページ４１、企業登録ページ４２、又はログインページのウェブページデータを端末装置２へ送信する。
ＣＰＵ１０は、位置情報を受信した場合（Ｓ５２でＹＥＳ）、受信した位置情報を記憶させて（Ｓ５６）、情報収集処理を終了する。
なお、Ｓ５６の終了後、トップページのウェブページデータを端末装置２へ送信するよう構成してあっても良い。
【０１００】
Ｓ５２にて受信される位置情報は、未登録の企業ユーザによって企業登録ページ４２にて記入された位置情報であり、ＣＰＵ１０は、位置情報と同時的に受信される企業ユーザ名とタイトル及び／又はバナーの画像データとを関連付けて記憶させる。この場合、ＣＰＵ１０は、受信した画像データのデータファイルをバナーデータベース１９に記憶させ、また、受信した位置情報に対して位置情報番号を発行し、発行した位置情報番号及び企業ユーザ名を関連付けて情報提供者データベース１６に記憶させ、前記位置情報番号と位置情報と、タイトル及び／又はバナーデータベース１９に記憶させたバナーの画像データの位置情報とを関連付けて位置情報データベース１８に記憶させる。
【０１０１】
検索キーを受信した場合（Ｓ５３でＹＥＳ）、ＣＰＵ１０は、受信した検索キーを記憶させ（Ｓ５７）、受信した検索キーに対応する紹介位置情報を記憶させ（Ｓ５８）、検索キーを集計して（Ｓ５９）、情報収集処理を終了する。
なお、Ｓ５６の終了後、トップページのウェブページデータを端末装置２へ送信するよう構成してあっても良い。
【０１０２】
Ｓ５３にて受信される検索キーは、未登録の個人ユーザによって個人登録ページ４１にて記入された検索キーであり、ＣＰＵ１０は、検索キーと同時的に受信される個人ユーザ名を関連付けて記憶させる。この場合、ＣＰＵ１０は、受信した個人ユーザ名に関連付けて、選択検索キーの検索キー番号、任意検索キー、及び補助検索キーを情報収集者データベース１５に記憶させ、記憶させた検索キー番号（及び補助検索キー）、又は記憶させた任意検索キー（及び補助検索キー）に関連付けて検索キーデータベース１７に記憶されている位置情報の位置情報番号を紹介位置情報として、前記個人ユーザ名に関連付けて情報収集者データベース１５に記憶させる。更に、ＣＰＵ１０は、前記検索キー番号、任意検索キー、及び補助検索キーに関連付けて検索キーデータベース１７に記憶されている人数の値に１を加算して、検索キーの個数を集計する。
【０１０３】
ユーザＩＤ及びパスワードを受信した場合（Ｓ５４でＹＥＳ）、ＣＰＵ１０は、受信したユーザＩＤ及びパスワードに一致するものが情報収集者データベース１５又は情報提供者データベース１６に記憶されているか否かを判定する（Ｓ７１）。Ｓ５４にて受信されるユーザＩＤ及びパスワードは、個人ユーザ又は企業ユーザによってログインページにて入力されたものであり、それらに一致するものが記憶されていない場合は（Ｓ７１でＮＯ）、登録された個人ユーザ又は企業ユーザのユーザＩＤ及びパスワードとは異なる旨を報知するユーザ未登録ページを端末装置２へ送信して、情報収集処理を終了する。
なお、ユーザ未登録ページに、ユーザＩＤ及びパスワードを入力するテキストボックス及びボタン等が設けられている場合、ＣＰＵ１０は、情報収集処理を終了せず、処理をＳ５４へ戻す。
【０１０４】
受信したユーザＩＤ及びパスワードに一致するものが記憶されている場合（Ｓ７１でＹＥＳ）、ＣＰＵ１０は、既に情報収集者データベース１５及び情報提供者データベース１６に記憶されているものとは異なるセッションＩＤを生成し、受信したユーザＩＤに関連付けて、生成したセッションＩＤを情報収集者データベース１５又は情報提供者データベース１６に記憶させ（Ｓ７２）、次いで、受信したユーザＩＤの所有者が個人ユーザである（生成したセッションＩＤを情報収集者データベース１５に記憶させた）か、企業ユーザである（情報提供者データベース１６に記憶させた）かを判定する（Ｓ７３）。
個人ユーザである場合（Ｓ７３で個人）、ＣＰＵ１０は、個人ページ４４のウェブページデータを生成し、生成したウェブページデータとＳ７２で生成したセッションＩＤとを端末装置２へ送信する（Ｓ７４）。
【０１０５】
企業ユーザである場合（Ｓ７３で企業）、ＣＰＵ１０は、企業ユーザのための集計ページ４６のウェブページデータを生成し、生成したウェブページデータとＳ７２で生成したセッションＩＤとを端末装置２へ送信する（Ｓ７７）。
Ｓ７４又はＳ７７の処理の終了後、ＣＰＵ１０は、情報収集実行処理のサブルーチンを呼び出して実行し（Ｓ７５）、情報収集実行処理の終了後、Ｓ７２で情報収集者データベース１５又は情報提供者データベース１６に記憶させたセッションＩＤを消去して（Ｓ７６）、情報収集処理を終了する。
以上の様なメインルーチンに割り込むようにして、ＣＰＵ１０は、検索キーデータベース１７に記憶されている検索キーに基づき、従来の検索エンジンを用いて定期的に検索し、取得した位置情報を前記検索キーに関連付けて検索キーデータベース１７に記憶させ、更に、前記検索キーの検索キー番号に関連付けて、前記位置情報を、紹介位置情報として情報収集者データベース１５に記憶させる。
【０１０６】
図１７及び図１８は、中央装置１の情報収集実行処理の手順を示すフローチャートである。
ＣＰＵ１０は、セッションＩＤ及び位置情報を用いてウェブページデータを要求されたか否かを判定し（Ｓ９１）、要求されていない場合は（Ｓ９１でＮＯ）、検索キーに対応した位置情報を受信したか否かを判定し（Ｓ９３）、受信していない場合は（Ｓ９３でＮＯ）、位置情報を受信したか否かを判定し（Ｓ９６）、受信していない場合は（Ｓ９６でＮＯ）、紹介位置情報に関連付けて位置情報を受信したか否かを判定する（Ｓ９９）。
【０１０７】
位置情報を受信していない場合（Ｓ９９でＮＯ）、ＣＰＵ１０は、検索キーを受信したか否かを判定し（Ｓ１１１）、受信していない場合は（Ｓ１１１でＮＯ）、更新情報を受信したか否かを判定し（Ｓ１１６）、受信していない場合は（Ｓ１１６でＮＯ）、決定情報を受信したか否かを判定し（Ｓ１１８）、受信していない場合は（Ｓ１１８でＮＯ）、ログアウトが要求されたか否かを判定し（Ｓ１２２）、要求されていない場合は（Ｓ１２２でＮＯ）、処理をＳ９１へ戻す。
【０１０８】
ＣＰＵ１０は、セッションＩＤ及び位置情報を用いてウェブページデータを要求された場合（Ｓ９１でＹＥＳ）、前記位置情報に対応するウェブページデータ（個人登録ページ４１、企業登録ページ４２、情報収集ページ４３、個人ページ４４、情報紹介ページ４５、又は集計ページ４６）を、前記セッションＩＤを送信してきた端末装置２へ送信し（Ｓ９２）、処理をＳ９１へ戻す。
ＣＰＵ１０は、検索キーに対応した位置情報とセッションＩＤとを受信した場合（Ｓ９３でＹＥＳ）、受信した位置情報を紹介位置情報として記憶させて（Ｓ９４）、集計ページ４６のウェブページデータを端末装置２へ送信し（Ｓ９５）、処理をＳ９１へ戻す。
【０１０９】
Ｓ９３にて受信される位置情報は、集計ページ４６にて記入された位置情報であり、ＣＰＵ１０は、前記位置情報と同時的に受信されるタイトル及び／又はバナーの画像データとを関連付けて位置情報データベース１８及びバナーデータベース１９に記憶させ、また、前記位置情報を紹介位置情報として、前記検索キーの検索キー番号に関連付けて情報収集者データベース１５に記憶されているユーザＩＤに関連付けて情報収集者データベース１５に記憶させる。
ただし、企業ユーザの集計ページ４６においては、Ｓ９３にて検索キーとセッションＩＤとが受信される。この場合、ＣＰＵ１０は、情報提供者データベース１６及び位置情報データベース１８を参照し、前記セッションＩＤに対応するユーザＩＤに関連付けて記憶されている位置情報を紹介位置情報として、前記検索キーの検索キー番号に関連付けて情報収集者データベース１５に記憶されているユーザＩＤに関連付けて情報収集者データベース１５に記憶させる。
【０１１０】
ＣＰＵ１０は、位置情報とセッションＩＤとを受信した場合（Ｓ９６でＹＥＳ）、受信した位置情報を記憶させて（Ｓ９７）、集計ページ４６のウェブページデータを端末装置２へ送信し（Ｓ９８）、処理をＳ９１へ戻す。
Ｓ９６にて受信される位置情報は、企業登録ページ４２にて記入された位置情報であり、ＣＰＵ１０は、前記位置情報と同時的に受信されるタイトル及び／又はバナーの画像データとを関連付けて、情報提供者データベース１６、位置情報データベース１８及びバナーデータベース１９に記憶させる。
【０１１１】
ＣＰＵ１０は、紹介位置情報に関連付けて位置情報とセッションＩＤとを受信した場合（Ｓ９９でＹＥＳ）、即ち紹介位置情報に対応する検索キーに関連付けて入力された位置情報を受信した場合、受信した位置情報を紹介位置情報として記憶させて（Ｓ１０１）、情報紹介ページ４５のウェブページデータを端末装置２へ送信し（Ｓ１０２）、処理をＳ９１へ戻す。
Ｓ９９にて受信される位置情報は、情報紹介ページ４５にて記入された位置情報であり、ＣＰＵ１０は、前記位置情報と同時的に受信されるタイトル及び／又はバナーの画像データとを関連付けて、位置情報データベース１８及びバナーデータベース１９に記憶させ、また、前記位置情報を紹介位置情報として、前記検索キーの検索キー番号に関連付けて情報収集者データベース１５に記憶されているユーザＩＤに関連付けて情報収集者データベース１５に記憶させる。
【０１１２】
ＣＰＵ１０は、検索キーを受信した場合（Ｓ１１１でＹＥＳ）、受信した検索キーを記憶させ（Ｓ１１２）、受信した検索キーに対応する紹介位置情報を記憶させ（Ｓ１１３）、検索キーを集計して（Ｓ１１４）、情報収集ページ４３のウェブページデータを端末装置２へ送信し（Ｓ１１５）、処理をＳ９１へ戻す。
【０１１３】
Ｓ１１１にて受信される検索キーは、個人登録ページ４１にて記入された検索キーであり、ＣＰＵ１０は、受信したセッションＩＤに対応するユーザＩＤと検索キーとを関連付けて、情報収集者データベース１５に記憶させる。この場合、ＣＰＵ１０は、ユーザＩＤに関連付けて、選択検索キーの検索キー番号、任意検索キー、及び補助検索キーを情報収集者データベース１５に記憶させ、記憶させた検索キー番号（及び補助検索キー）、又は記憶させた任意検索キー（及び補助検索キー）に関連付けて検索キーデータベース１７に記憶されている位置情報の位置情報番号を、ユーザＩＤに関連付けて情報収集者データベース１５に記憶させる。更に、ＣＰＵ１０は、前記検索キー番号、任意検索キー、及び補助検索キーに関連付けて検索キーデータベース１７に記憶されている人数の値に１を加算して、検索キーの個数を集計する。
【０１１４】
ＣＰＵ１０は、更新情報とセッションＩＤとを受信した場合（Ｓ１１６でＹＥＳ）、受信した更新情報に応じて情報収集ページ４３のウェブページデータを端末装置２へ送信し（Ｓ１１７）、処理をＳ９１へ戻す。
ＣＰＵ１０は、決定情報とセッションＩＤとを受信した場合（Ｓ１１８でＹＥＳ）、受信した決定情報に対応する紹介位置情報を決定位置情報として、受信したセッションＩＤに対応するユーザＩＤに関連付けて情報収集者データベース１５に記憶させ（Ｓ１１９）、個人ページ４４のウェブページデータを端末装置２へ送信し（Ｓ１２１）、処理をＳ９１へ戻す。なお、前記紹介位置情報は情報収集者データベース１５から消去しても良い。
ＣＰＵ１０は、ログアウトが要求された（ログアウトを要求する情報とＲＡＭ２２に記憶されているセッションＩＤとを受信した）場合（Ｓ１２２でＹＥＳ）、本サブルーチンを終了する。
【０１１５】
以上のような情報収集システムは、情報収集者に対し、該情報収集者に必要な情報を有する可能性が高いウェブページが、適宜の個数だけ紹介されるため、紹介されたウェブページが必要かどうかを判断する情報収集者の作業が簡便であり、また、情報収集者が、容易に必要なウェブページを収集することができる。
また、リンク先にできるウェブページに制限がなく、また、情報収集者が自力でウェブページを探し出す必要がない。
更に、情報紹介ページ４５及び集計ページ４６で公開される情報には個人ユーザの個人情報が含まれない。このため、情報提供者が、適切な相手のみに、個人情報の漏れに対する警戒心を与えることなく、例えばバナー広告を出して、低コストで効率良く情報を提供することができる。
【０１１６】
また、このような情報収集システムを用いて、企業ユーザは、集計ページ４６にて、該企業ユーザが提供する情報に対応する検索キーを選択している個人ユーザ全てに対し、前記情報を有するウェブページを紹介する。この場合、企業ユーザは、例えば前記ウェブページを紹介した人数に応じて課金される。
また、一の個人ユーザは、情報紹介ページ４５にて、他の個人ユーザにウェブページを紹介する。この場合、例えば前記他の個人ユーザが、紹介されたウェブページを管理している企業と契約したとき、該企業から賞金又はサービスの提供等を得る。
また、一の個人ユーザは、集計ページ４６にて、他の個人ユーザにウェブページを紹介する。この場合、例えば前記他の個人ユーザが、紹介されたウェブページを該他の個人ユーザの個人ページ４４にリンクした場合に、賞金、賞品、又はサービスの提供等を得る。
【０１１７】
【発明の効果】
本発明の情報収集方法、情報収集システム、情報処理装置、及びコンピュータプログラムによれば、情報処理装置を情報システムの中央装置として用い、該中央装置に、検索キー及び該検索キーに基づき検索エンジンを用いて取得した位置情報を関連付けて記憶しておいたり、中央装置の管理者が、各検索キーに相応しい情報を有するウェブページデータの位置情報を中央装置に記憶させておいたりする。このため、情報収集者が取得する紹介位置情報は、該情報収集者が必要な情報を有するウェブページデータの位置情報である可能性が高くなる。
【０１１８】
また、端末装置のユーザである情報提供者が、集計結果を視認し、検索キーに対応する情報を有するウェブページデータの位置情報を端末装置へ入力する場合は、情報収集者が取得する紹介位置情報が、必要な情報を有するウェブページデータの位置情報である可能性が更に高くなり、中央装置の管理者の負担を低減することもできる。
即ち、本発明は、情報収集者が、該情報収集者が必要な情報を検索キーとして公開し、公開された検索キーに応じて、中央装置又は情報提供者が前記情報収集者へ情報を発信する。このため、本発明は、情報収集者が、必要な情報とは無関係のウェブページを取得したり、全くウェブページが取得できなかったりすることを防止することができ、必要なウェブページの取得を支援することができる。
【０１１９】
また、本発明は、端末装置へ送信する紹介位置情報を所定数以下に限定する場合、情報収集者が、必要な情報を有するか否か不明であるウェブページデータの位置情報を多数取得してしまうことを防止でき、情報提供者が、取得したウェブページ夫々に対して必要であるか否かを判断する作業を低減することができる。また、本発明には、送受信する紹介位置情報に制限がないため、従来のポータルサイトのように登録可能なウェブページが限定されることがない。
【０１２０】
また、端末装置のユーザである情報提供者は、集計結果に含まれる検索キーの内、前記情報提供者が有する情報に対応する検索キーに対応させて、前記情報を有するウェブページデータの位置情報を送信する。この場合、前記検索キーを入力した情報収集者、即ち、前記情報を必要とする可能性が高い情報収集者の端末装置に対して、前記位置情報が紹介位置情報として送信される。このため、情報提供者は、適切な情報収集者に対する情報の発信を容易に行なうことができる。また、集計結果に含まれる検索キーの個数は、該検索キーを入力した情報収集者の人数に対応するため、前記個数が多い検索キーに対応させて、前記情報を有するウェブページデータの位置情報を送信することによって、情報提供者は、多数の適切な情報収集者に対する情報の発信を容易に行なうことができる。更に、集計結果に情報収集者の個人情報を含まないことによって、情報収集者の個人情報の流出を防止することができる。
【０１２１】
また、本発明は、情報収集者が、必要な情報を有するウェブページを、容易に、また簡単な操作で取得でき、また、情報収集者又は情報提供者が、該情報収集者又は情報提供者が有する情報を、該情報を必要としている他の情報収集者に教示できるため、情報収集者及び情報提供者の双方に対する利便性を向上することができる、
更に、情報収集者同士が、既に自分が知っているウェブページを紹介し合うことによって、情報収集者は、教える楽しみ、又は教えてもらう喜びを得ることができ、情報収集者間のコミュニケーションを助長できる等、本発明は優れた効果を奏する。
【図面の簡単な説明】
【図１】本発明に係る情報収集システムの構成を示す説明図である。
【図２】本発明に係る情報収集システムを構成する中央装置のブロック図である。
【図３】本発明に係る情報収集システムを構成する中央装置が備える情報収集者データベースに記憶されている情報の一例を示す模式図である。
【図４】本発明に係る情報収集システムを構成する中央装置が備える情報提供者データベースに記憶されている情報の一例を示す模式図である。
【図５】本発明に係る情報収集システムを構成する中央装置が備える検索キーデータベースに記憶されている情報の一例を示す模式図である。
【図６】本発明に係る情報収集システムを構成する中央装置が備える位置情報データベースに記憶されている情報の一例を示す模式図である。
【図７】本発明に係る情報収集システムを構成する端末装置が備える表示部に表示されるウェブページ（個人登録ページ）の一例を示す模式図である。
【図８】本発明に係る情報収集システムを構成する端末装置が備える表示部に表示されるウェブページ（企業登録ページ）の一例を示す模式図である。
【図９】本発明に係る情報収集システムを構成する端末装置が備える表示部に表示されるウェブページ（情報収集ページ）の一例を示す模式図である。
【図１０】本発明に係る情報収集システムを構成する端末装置が備える表示部に表示されるウェブページ（個人ページ）の一例を示す模式図である。
【図１１】本発明に係る情報収集システムを構成する端末装置が備える表示部に表示されるウェブページ（情報紹介ページ）の一例を示す模式図である。
【図１２】本発明に係る情報収集システムを構成する端末装置が備える表示部に表示されるウェブページ（集計ページ）の一例を示す模式図である。
【図１３】本発明に係る情報収集システムを構成する端末装置の情報収集処理の手順を示すフローチャートである。
【図１４】本発明に係る情報収集システムを構成する端末装置の情報収集処理の手順を示すフローチャートである。
【図１５】本発明に係る情報収集システムを構成する中央装置の情報収集処理の手順を示すフローチャートである。
【図１６】本発明に係る情報収集システムを構成する中央装置の情報収集処理の手順を示すフローチャートである。
【図１７】本発明に係る情報収集システムを構成する中央装置の情報収集実行処理の手順を示すサブルーチンのフローチャートである。
【図１８】本発明に係る情報収集システムを構成する中央装置の情報収集実行処理の手順を示すサブルーチンのフローチャートである。
【符号の説明】
１  中央装置
２  端末装置
１０，２０  ＣＰＵ
１１，２１  ＲＯＭ
１２，２２  ＲＡＭ
１３，２７  ネットワークＩ／Ｆ
１４  補助記憶部
１５  情報収集者データベース
１６  情報提供者データベース
１７  検索キーデータベース
１８  位置情報データベース
１９  バナーデータベース
２４  表示部
２５  操作部
３  ウェブサーバ
【図１】
2004240682.tif 000003
【図２】
2004240682.tif 000004
【図３】
2004240682.tif 000005
【図４】
2004240682.tif 000006
【図５】
2004240682.tif 000007
【図６】
2004240682.tif 000008
【図７】
2004240682.tif 000009
【図８】
2004240682.tif 000010
【図９】
2004240682.tif 000011
【図１０】
2004240682.tif 000012
【図１１】
2004240682.tif 000013
【図１２】
2004240682.tif 000014
【図１３】
2004240682.tif 000015
【図１４】
2004240682.tif 000016
【図１５】
2004240682.tif 000017
【図１６】
2004240682.tif 000018
【図１７】
2004240682.tif 000019
【図１８】
2004240682.tif 000020